(57)【要約】【課題】球状体が傾斜壁に喰い込み密着し、その後の内容物の吐出が妨げられるという、所謂ボール密着現象の発生を防止できる新たな二重容器を提案する。【解決手段】筒状壁３１に、収容空間Ｓに向けて縮径して球状体３８と全周に亘って当接する傾斜壁３５と、傾斜壁３５に連結するとともに、球状体３８の下端部に当接することで球状体３８が傾斜壁３５に喰い込むことを防止する喰い込み防止用の支持体３６と、を設ける。【選択図】図２
2017081629.tif 000002
【特許請求の範囲】
【請求項１】
容器の外殻を形成する外層体と、内容物の収容空間に通じる上部開口を有するとともに該外層体の内側に収められる減容変形自在な内層体と、該上部開口に設けられ、該収容空間に向けて延びる筒状壁の内側に弁体となる球状体を配してなる中栓と、該中栓を覆って該外層体の口部に装着されるとともに該筒状壁に連通する注出筒を備える注出栓と、を備える二重容器であって、
前記筒状壁は、前記収容空間に向けて縮径して前記球状体と全周に亘って当接する傾斜壁と、該傾斜壁に連結するとともに、該球状体の下端部に当接することで該球状体が該傾斜壁に喰い込むことを防止する喰い込み防止用の支持体と、を備えることを特徴とする二重容器。
【請求項２】
前記注出筒の下端開口部の中心軸線を、前記筒状壁の中心軸線から偏芯させてなる請求項１に記載の二重容器。
【請求項３】
容器の外殻を形成する外層体と、内容物の収容空間に通じる上部開口を有するとともに該外層体の内側に収められる減容変形自在な内層体と、該外層体の口部に装着されるとともに注出筒を備える注出栓と、を備える二重容器であって、
前記注出栓は、前記注出筒と一体に形成されるとともに前記収容空間に向けて延びる筒状壁と、該筒状壁の内側に配された弁体となる球状体と、を備え、
該筒状壁は、該収容空間に向けて縮径して該球状体と全周に亘って当接する傾斜壁と、該傾斜壁に連結するとともに、該球状体の下端部に当接することで該球状体が該傾斜壁に喰い込むことを防止する喰い込み防止用の支持体と、を備えることを特徴とする二重容器。
【請求項４】
前記喰い込み防止用の支持体は、前記球状体の下端部に当接可能に起立する棒状体と、該棒状体の下部と前記傾斜壁とを連結するとともに周方向に間隔を空けて配置された複数の連結体と、を備える請求項１〜３のいずれか一項に記載の二重容器。
【請求項５】
前記複数の連結体は、周方向に等間隔を空けて配置された３本の連結体である請求項４に記載の二重容器。
【発明の詳細な説明】
【技術分野】
【０００１】
本発明は、容器の外殻を形成する外層体と、外層体の内側に収められる減容変形自在な内層体とを備え、内容物の吐出に伴って内層体のみを減容させる二重容器に関するものである。
【背景技術】
【０００２】
化粧水などの化粧料や、シャンプーやリンス或いは液体石鹸、また食品調味料などを収納する容器としては、容器の外殻を形成する外層体と、外層体の内側に収められる減容変形自在な内層体とを備え、外層体に、内外に通じる外気導入用の開口を設けて、内容物の吐出に伴って内層体のみを減容させるようにした二重容器（積層剥離容器とも言う）が知られている。
【０００３】
また、内容物の吐出方式としては、外層体の口部に装着したポンプによるものや、外層体の胴部をスクイズすることによるものがあるが、内容物の粘度が比較的低い場合には、容器を傾倒或いは倒立姿勢にすることで、内容物の自重によって吐出させることも可能である。ここで特許文献１には、容器の口部に装着する注出栓の内側に配置される中栓に、容器の姿勢変更に応じて自重で移動する球状体（ボール弁）を設け、容器が起立姿勢にある時は、球状体が中栓の傾斜壁に当接することで内容物の収容空間に外気が入り込むことを防止する一方、容器を傾倒或いは倒立姿勢にすることで、球状体が注出栓の傾斜壁から移動して、内容物の自重によって吐出することができる二重容器が示されている。
【先行技術文献】
【特許文献】
【０００４】
【特許文献１】特開２０１４−２０８５４２号公報
【発明の概要】
【発明が解決しようとする課題】
【０００５】
ところで、このようなボール弁を設けた二重容器では、蓋体で注出栓の注出筒を閉鎖する際に生じる注出筒上方からの外圧の作用により、球状体が傾斜壁に向かって押し下げられ、当該外圧が過大となる場合には、球状体が傾斜壁に喰い込み密着し、その後の内容物の吐出が妨げられるという、所謂ボール密着現象が生じるおそれがあった。また、箸の先など棒状のものを注出筒から挿入することによって、球状体が押し込まれることもある。
【０００６】
本発明は、このような問題を解決することを課題とするものであり、その目的は、球状体が傾斜壁に喰い込み密着し、その後の内容物の吐出が妨げられるという、所謂ボール密着現象の発生を防止できる新たな二重容器を提案するところにある。
【課題を解決するための手段】
【０００７】
すなわち、本発明の要旨構成は、以下のとおりである。
１．容器の外殻を形成する外層体と、内容物の収容空間に通じる上部開口を有するとともに該外層体の内側に収められる減容変形自在な内層体と、該上部開口に設けられ、該収容空間に向けて延びる筒状壁の内側に弁体となる球状体を配してなる中栓と、該中栓を覆って該外層体の口部に装着されるとともに該筒状壁に連通する注出筒を備える注出栓と、を備える二重容器であって、
前記筒状壁は、前記収容空間に向けて縮径して前記球状体と全周に亘って当接する傾斜壁と、該傾斜壁に連結するとともに、該球状体の下端部に当接することで該球状体が該傾斜壁に喰い込むことを防止する喰い込み防止用の支持体と、を備えることを特徴とする二重容器。
【０００８】
２．前記注出筒の下端開口部の中心軸線を、前記筒状壁の中心軸線から偏芯させてなる前記１の二重容器。
【０００９】
３．容器の外殻を形成する外層体と、内容物の収容空間に通じる上部開口を有するとともに該外層体の内側に収められる減容変形自在な内層体と、該外層体の口部に装着されるとともに注出筒を備える注出栓と、を備える二重容器であって、
前記注出栓は、前記注出筒と一体に形成されるとともに前記収容空間に向けて延びる筒状壁と、該筒状壁の内側に配された弁体となる球状体と、を備え、
該筒状壁は、該収容空間に向けて縮径して該球状体と全周に亘って当接する傾斜壁と、該傾斜壁に連結するとともに、該球状体の下端部に当接することで該球状体が該傾斜壁に喰い込むことを防止する喰い込み防止用の支持体と、を備えることを特徴とする二重容器。
【００１０】
４．前記喰い込み防止用の支持体は、前記球状体の下部に当接可能に起立する棒状体と、該棒状体の下部と前記傾斜壁とを連結するとともに周方向に間隔を空けて配置された複数の連結体と、を備える前記１〜３のいずれかの二重容器。
【００１１】
５．前記複数の連結体は、周方向に等間隔を空けて配置された３本の連結体である前記４の二重容器。
【発明の効果】
【００１２】
本発明によれば、球状体が傾斜壁に当接した状態で、球状体に何らかの原因による外圧が作用して球状体が傾斜壁に向けて押し込まれたとしても、喰い込み防止用の支持体が球状体の下端部に当接して支持することで、球状体が傾斜壁に喰い込むことを防止することができる。
【００１３】
したがって、本発明によれば、球状体が傾斜壁に喰い込み密着し、その後の内容物の吐出が妨げられるという、所謂ボール密着現象の発生を防止できる新たな二重容器を提案することができる。
【図面の簡単な説明】
【００１４】
【図１】本発明に従う二重容器の一実施形態を示す縦断面図である。
【図２】（ａ）は図１の部分拡大図であり、（ｂ）は（ａ）に示す喰い込み防止用の支持体の底面図である。
【図３】図１の二重容器につき、棒状のものを注出筒から挿入しようとした場合の様子を示す縦断面図である。
【図４】図１の二重容器の変形例を示す縦断面図である。
【図５】図１の二重容器の他の変形例を示す縦断面図である。
【発明を実施するための形態】
【００１５】
以下、図面を参照して、本発明をより具体的に説明する。
【００１６】
図１において、符号１は、本発明の二重容器の一実施形態を示す。二重容器１は、容器の外殻を形成する外層体１０と、外層体１０の内側に収められる内層体２０とを備えていて、その上部に中栓３０、注出栓４０、及び蓋体５０とを備えている。本実施形態における二重容器１は、合成樹脂製の外層体１０と、外層体１０に対して相溶性が低い合成樹脂にて形成される内層体２０とを積層させたものであり、これらの合成樹脂素材を積層して形成したパリソンを、ブロー成形することによって得られたものである。また、図示は省略するが、本実施形態において、外層体１０と内層体２０との間には、縦方向に延在して外層体１０と内層体２０とを部分的に接合する１本の接着帯を設けている。なお、接着帯は必要に応じて設けられるものであり、これを設けなくても、また複数本設けてもよい。
【００１７】
外層体１０は、復元自在な可撓性を有するものであり、円筒状の口部１１に胴部１２を連結するとともに、底部１３を胴部１２に連結したものである。口部１１の外周面には雄ねじ部１１Ａを設けている。なお、図示は省略するが、外層体１０にはその内外を貫通する外気導入孔が形成されている。外気導入孔は、ブロー成形にて底部１３に形成されるピンチオフ部のスリットを利用するものでも、また、ブロー成形後に口部１１や胴部１２に後加工にて設けるものであってもよい。
【００１８】
内層体２０は、その内側に内容物を充填可能とする収容空間Ｓを形成するとともに、収容空間Ｓに通じる上部開口２１を有するものであり、積層された外層体１０から剥離させることで減容変形させることができる。
【００１９】
中栓３０は、内層体２０の上部開口２１に設けられるものであり、図２（ａ）に示すようにその中央部において起立する筒状壁３１を備えている。また筒状壁３１の径方向外側には、この筒状壁３１の下部と連結する縮径壁を介して環状壁３２を備えている。環状壁３２は、内層体２０を挟み込んで外層体１０と当接する環状のシール部として機能している。環状壁３２の上端縁部には、径方向外側に向けて延在し、口部１１の上端と当接するフランジ部３３を設けている。フランジ部３３の上面には、環状の縦壁３４を設けている。また、筒状壁３１の下端部（収容空間Ｓ側の端部）には、収容空間Ｓに向けて縮径する傾斜壁３５を設けている。更に、傾斜壁３５の下端部（収容空間Ｓ側の端部）には、喰い込み防止用の支持体３６を設けている。
【００２０】
ここで喰い込み防止用の支持体３６は、図２（ａ）、（ｂ）に示すように、筒状壁３１の中心軸線Ｏ１上で延びる円柱状の棒状体３６Ａと、この棒状体３６Ａの下部と傾斜壁３５とを連結するとともに周方向に間隔を空けて配置された複数の連結体３６Ｂ（本実施形態では周方向に等間隔を空けて配置された３本の連結体３６Ｂ）とを備えている。なお、棒状体３６Ａの形状は図示のものに限定されず、例えば横断面形状が三角形や五角形等の多角形状となるものであってもよい。あるいは、棒状体３６Ａに代えて円形又は多角形状の板状体を設け、この板状体の外周部を複数の連結体３６Ｂによって傾斜壁３５の下端部に連結する構成としてもよい。
【００２１】
また、筒状壁３１の内周面には、周方向に間隔をあけて設けられる複数の縦リブ３７を設けている。更に、縦リブ３７の径方向内側には、球状体３８（金属製でも合成樹脂製でもよいが、本実施形態では合成樹脂製としている）を配置している。ここで、球状体３８は、二重容器１の姿勢変更に応じて、縦リブ３７に沿って自重にて移動するものであり、図１に示すように二重容器１が起立姿勢にある時は、傾斜壁３５と全周に亘って当接して内層体２０の収容空間Ｓを閉鎖している。また、このとき、喰い込み防止用の支持体３６の棒状体３６Ａは、球状体３８の下端部と僅かな隙間を空けて対向している。なお、このとき、棒状体３６Ａは、球状体３８の下端部に接触していてもよい。
【００２２】
注出栓４０は、筒状壁３１に連通するとともに上方に向けて拡径しつつ上端を径方向外側に湾曲させてリップを形成した注出筒４１を備えている。注出筒４１は、径方向外側に向けて延在し、環状の縦壁３４上に位置する天壁４２に連結している。注出筒４１の下端開口部の中心軸線Ｏ２は、筒状壁３１の中心軸線Ｏ１から偏芯しており、これにより、球状体３８の上方への抜け止めが実現されている。また、天壁４２の縁部には、口部１１を取り囲む外周壁４３を連結していて、外周壁４３の内周面には、口部１１の雄ねじ部１１Ａに対応する雌ねじ部４４を設けている。これにより注出栓４０は、中栓３０を間に挟んで口部１１にねじ止めされる。なお、注出栓４０を口部１１に装着するに当たっては、アンダーカットを利用してもよい。
【００２３】
蓋体５０は、注出栓４０の上方を覆う頂壁５１の縁部に周壁５２を連結するとともに、周壁５２と外周壁４３とをヒンジ５３を介して連結するものである。なお、ヒンジ５３を設けずに、注出栓４０と蓋体５０とをねじ止めするようにしてもよい。頂壁５１の下面には、注出筒４１の内周面と液密に当接するシール筒５４を設けている。
【００２４】
上記のように構成される二重容器１から内容物を吐出するに当たっては、蓋体５０を開いて二重容器１を傾倒或いは倒立姿勢にすることで、球状体３８は注出筒４１側に変位し、収容空間Ｓ内の内容物は自重にて複数の連結体３６Ｂ間の開口から筒状壁３１内に導入され、隣り合う縦リブ３７の相互間を通り抜けて注出筒４１より吐出される。この際、外層体１０と内層体２０との相互間には前述の外気導入孔を通して外気が導入されるので、外層体１０はその形状を保ったまま、内層体２０のみが減容する。
【００２５】
内容物を吐出した後、二重容器１を起立姿勢に戻すと、球状体３８は収容空間Ｓ側に変位し、傾斜壁３５に全周に亘って当接することで収容空間Ｓに外気が入り込むことを防止する。ここで、蓋体５０を閉じると、球状体３８には筒状壁３１の上方から外圧が作用することになるが、この外圧により球状体３８が下方に押し下げられたとしても、球状体３８の下端部が、喰い込み防止用の支持体３６の棒状体３６Ａの上端面で支持されるため、球状体３８が傾斜壁３５に喰い込むことが防止される。したがって、本実施形態の二重容器１によれば、球状体３８が傾斜壁３５に喰い込み密着し、その後の内容物の吐出が妨げられるという、所謂ボール密着現象の発生を防止することができる。また、本実施形態では、喰い込み防止用の支持体３６を、棒状体３６Ａと、周方向に等間隔で配置された３本の連結体３６Ｂとで構成しているので、球状体３８の安定した支持と、内容物の広い流路断面積の確保との両立を最適化することができる。
【００２６】
また、本実施形態では、注出筒４１の下端開口部の中心軸線Ｏ２を、筒状壁３１の中心軸線Ｏ１から偏芯させているので、図３に示すように、箸の先など棒状のものを注出筒４１から挿入した場合に、その挿入された棒状のものが球状体３８に達するのを防止することができる。したがって、本実施形態によれば、棒状のもので球状体３８が押し込まれることが防止される。なお、このような形態に代えて、例えば図４に示すように、注出筒４１’の下端開口部の中心軸線Ｏ２’と、筒状壁３１’の中心軸線Ｏ１’とを一致させた構成としてもよい。この場合には、球状体３８の上方への抜け止めとして、縦リブ３７’の上方には径方向内側に向けて突出する凸部３９を設けることができる。また、蓋体５０’のシール筒５４’の径方向内側には、下方に向けて延びるピン５５を設け、内容物の吐出時に球状体３８が凸部３９に喰い込んでしまった場合でも、蓋体５０’の閉鎖時にこのピン５５で球状体３８を突き落とし、確実に傾斜壁３５’に当接させる構成とすることができる。
【００２７】
また、この変形例では中栓３０’を用いているが、他の変形例として、図５に示すように、筒状壁３１”を注出栓４０”に一体に形成し、中栓３０’を省略する構成とすることもできる。すなわち、本変形例の二重容器１”は、注出栓４０”が、注出筒４１”と一体に形成されるとともに収容空間Ｓに向けて延びる筒状壁３１”と、該筒状壁３１”の内側に配された弁体となる球状体３８と、を備えている点で、図４に示した変形例の場合と構成が異なり、その他の点では同一の構成となっている。
【００２８】
本発明は前記実施の形態に限定されるものではなく、その要旨を逸脱しない範囲で種々変更可能であることはいうまでもない。例えば、前記実施の形態においては、二重容器１を、外層体１０と内層体２０とを積層パリソンのブロー成形により一体に形成することで構成しているが、これに限らず、外層体１０と内層体２０とを別々に形成した後、内層体２０を外層体１０の内部に組み込んだ構成としてもよい。
【符号の説明】
【００２９】
１，１’，１”  二重容器
１０  外層体
１１  口部
１１Ａ  雄ねじ部
１２  胴部
１３  底部
２０  内層体
２１  上部開口
３０，３０’  中栓
３１，３１’，３１”  筒状壁
３２  環状壁
３３  フランジ部
３４  縦壁
３５，３５’  傾斜壁
３６  喰い込み防止用の支持体
３６Ａ  棒状体
３６Ｂ  連結体
３７，３７’  縦リブ
３８  球状体
３９  凸部
４０，４０’，４０”  注出栓
４１，４１’，４１”  注出筒
４２  天壁
４３  外周壁
４４  雌ねじ部
５０，５０’，５０”  蓋体
５１  頂壁
５２  周壁
５３  ヒンジ
５４，５４’  シール筒
５５  ピン
Ｓ    収容空間
Ｏ１，Ｏ２  軸線
【図１】
2017081629.tif 000003
【図２】
2017081629.tif 000004
【図３】
2017081629.tif 000005
【図４】
2017081629.tif 000006
【図５】
2017081629.tif 000007